(57)【要約】【課題】包装物品の隅角部を確実に包持して、該物品を衝撃等から保護することができる物品の緩衝体を提供する。【解決手段】直方体や立方体からなる物品ｂの隅角部ｂ１を被覆して該物品の緩衝を行う物品の緩衝体Ａにあって、可撓性シート１０，１１により四辺の枠部材６，７，８，９からなる方形枠状の被覆本体１を形成し、この被覆本体における四辺の枠部材の幅方向に対して略平行するようにそれぞれ並べて、内部に気体を封入した第一気体室体２、第二気体室体３、および第三気体室体４を連接し、第一気体室体から第三気体室体に至るまでの間における内側部に接続した緊張体５とを備えさせる。【選択図】　　図１
2004136912.tif 000002
【特許請求の範囲】
【請求項１】
直方体や立方体からなる物品の隅角部を被覆して該物品の緩衝を行う物品の緩衝体にあって、
可撓性シートにより形成された四辺の枠部材からなる方形枠状の被覆本体と、
この被覆本体における四辺の枠部材の幅方向に対して略平行するようにそれぞれ並べて連接し、内部に気体を封入した第一気体室体、第二気体室体、および第三気体室体と、
前記第一気体室体から前記第三気体室体に至るまでの間における内側部に接続した緊張体とを備えさせ、
前記第一気体室体は、前記物品の隅角部における四周側面を被覆させ、
前記第二気体室体は、前記物品の隅角部における四頂部付近を被覆させ、
前記第三気体室体は、前記第一気体室体の内側面より少なくともその一部が前記被覆本体において内方に位置し、前記物品の隅角部における四周側面より連なって該四周側面と略直交する前記物品の端側面を被覆させることを特徴とする物品の緩衝体。
【請求項２】
被覆本体における四辺の枠部材は、方形状の一対の可撓性シートにより一体的に形成されていて、前記被覆本体は、前記一対の可撓性シートを重ね合わせてその長手方向と平行するように二つ折りし、
前記一対の可撓性シートにおける長手方向の一辺の外周縁部を除いた前記長手方向の他辺の外周縁部とこの他辺の外周縁部と直交する二辺の外周縁部を接合して三辺の外周接合部を形成し、
前記一対の可撓性シートの長手方向を横断する方向において、該一対の可撓性シートを二つ折りされた状態で該一対の可撓性シートの一部を直線状に接合して第一接合部、第二接合部、および第三接合部を形成し、
この第一接合部と前記一対の可撓性シートの長手方向と直交する一側外周接合部との間隔と、前記第二接合部と第三接合部との間隔は略同一に設けられ、
前記第一接合部と前記第二接合部との間隔は、前記第三接合部と前記一対の可撓性シートの長手方向と直交する他側外周接合部との間隔は略同一に設けられ、
前記一対の可撓性シートの長手方向と直交する一側外周接合部と前記一対の可撓性シートの長手方向と直交する他側外周接合部とは接合されて連結接合部を形成し、
前記一対の可撓性シートの長手方向と略平行するように、該一対の可撓性シートの一部を直線的に接合して第四接合部、第五接合部を形成し、かつ、前記一対の可撓性シートを連続した直線的に接合して第六接合部を形成し、
前記一対の可撓性シートの長手方向における一辺の外周接合部と第四接合部との間に第一気体室体を形成し、
前記第四接合部と第五接合部との間に第二気体室体を形成し、
前記第五接合部と第六接合部との間に第三気体室体を形成してあって、
前記一対の可撓性シートにおける長手方向の一辺の外周縁部は、前記第四接合部において前記一対の可撓性シート共に前記被覆本体の内側部へ接合されて、前記第四接合部と前記第六接合部との間に緊張体を形成させたことを特徴とする請求項１記載の物品の緩衝体。
【請求項３】
第一気体室体、第二気体室体、および第三気体室体は、それぞれ通路により連通させたことを特徴とする請求項１または２記載の物品の緩衝体。
【請求項４】
第一気体室体、第二気体室体、および第三気体室体は、それぞれ通路により連通させてあって、これら第一気体室体、第二気体室体、および第三気体室体の少なくともその一箇所に設けた気体の給排部材により気体が一連に封入されるものであり、
前記第一気体室体、第二気体室体、および第三気体室体に気体が封入されたとき、該第三気体室体の膨満に伴って、緊張体がこの第三気体室体を被覆本体の内側部へ引き込んでその位置を保持させたことを特徴とする請求項１または２記載の物品の緩衝体。
【発明の詳細な説明】
【０００１】
【産業上の利用分野】
本発明は、物品の包装にあって、該物品の隅角部への密着性の向上を図り、確実に緩衝作用を発揮することができる物品の緩衝体に関する。
【０００２】
【従来の技術】
従来、直方体や立方体による物品を、例えば、段ボール箱等へ収容し包装するときは、該物品が移動しないように、あるいは、搬送中の衝撃によりこの物品に破損を防止する目的で、密封空気のクッション性を利用したプラスチックフィルム製の緩衝材が多く用いられてる。
【０００３】
そして、例えば、図１１（ａ）に示すように、物品６０の隅角部６０ａへ嵌り込むように断面Ｌ字状に形成された緩衝材６１を取り付けた場合、搬送中などにおいて物品６０に衝撃力が掛かったりその自重作用などが掛かると、このプラスチックフィルム製の緩衝材６１は、図１１（ｂ）に示すように、その荷重が掛かった箇所６１ａおよびその周辺が、図１１（ｂ）に示すように、容易に変形して物品６０がこの箇所６１ａから抜け落ち、該物品６０の妄動を阻止できないもので、その結果、物品６０の十分な緩衝作用を発揮することができないと共に、物品６０の包装効果も低下するものであった。
【０００４】
【発明が解決しようとする課題】
本発明は、前記した問題点を解決するためになされたもので、直方体や立方体からなる物品の隅角部を被覆して該物品の緩衝を行う物品の緩衝体にあって、可撓性シートにより四辺の枠部材からなる方形枠状の被覆本体を形成し、この被覆本体における四辺の枠部材の幅方向に対して略平行するようにそれぞれ並べて、内部に気体を封入した第一気体室体、第二気体室体、および第三気体室体を連接し、第一気体室体から第三気体室体に至るまでの間における内側部に接続した緊張体とを備えさせ、第一気体室体は、物品の隅角部における四周側面を被覆させ、第二気体室体は、物品の隅角部における四頂部付近を被覆させ、第三気体室体は、第一気体室体の内側面より少なくともその一部が被覆本体において内方に位置し、物品の隅角部における四周側面より連なって該四周側面と略直交する物品の端側面を被覆させることにより、包装物品の隅角部を確実に包持して、該物品を衝撃等から保護することができる物品の緩衝体を提供することを目的としている。
【０００５】
【課題を解決するための手段】
前記した目的を達成するための本発明の手段は、
請求項１記載の物品の緩衝体は、直方体や立方体からなる物品の隅角部を被覆して該物品の緩衝を行う物品の緩衝体にあって、
可撓性シートにより形成された四辺の枠部材からなる方形枠状の被覆本体と、
この被覆本体における四辺の枠部材の幅方向に対して略平行するようにそれぞれ並べて連接し、内部に気体を封入した第一気体室体、第二気体室体、および第三気体室体と、
前記第一気体室体から前記第三気体室体に至るまでの間における内側部に接続した緊張体とを備えさせ、
前記第一気体室体は、前記物品の隅角部における四周側面を被覆させ、
前記第二気体室体は、前記物品の隅角部における四頂部付近を被覆させ、
前記第三気体室体は、前記第一気体室体の内側面より少なくともその一部が前記被覆本体において内方に位置し、前記物品の隅角部における四周側面より連なって該四周側面と略直交する前記物品の端側面を被覆させる。
【０００６】
請求項２記載の物品の緩衝体は、被覆本体における四辺の枠部材は、方形状の一対の可撓性シートにより一体的に形成されていて、前記被覆本体は、前記一対の可撓性シートを重ね合わせてその長手方向と平行するように二つ折りし、
前記一対の可撓性シートにおける長手方向の一辺の外周縁部を除いた前記長手方向の他辺の外周縁部とこの他辺の外周縁部と直交する二辺の外周縁部を接合して三辺の外周接合部を形成し、
前記一対の可撓性シートの長手方向を横断する方向において、該一対の可撓性シートを二つ折りされた状態で該一対の可撓性シートの一部を直線状に接合して第一接合部、第二接合部、および第三接合部を形成し、
この第一接合部と前記一対の可撓性シートの長手方向と直交する一側外周接合部との間隔と、前記第二接合部と第三接合部との間隔は略同一に設けられ、
前記第一接合部と前記第二接合部との間隔は、前記第三接合部と前記一対の可撓性シートの長手方向と直交する他側外周接合部との間隔は略同一に設けられ、
前記一対の可撓性シートの長手方向と直交する一側外周接合部と前記一対の可撓性シートの長手方向と直交する他側外周接合部とは接合されて連結接合部を形成し、
前記一対の可撓性シートの長手方向と略平行するように、該一対の可撓性シートの一部を直線的に接合して第四接合部、第五接合部を形成し、かつ、前記一対の可撓性シートを連続した直線的に接合して第六接合部を形成し、
前記一対の可撓性シートの長手方向における一辺の外周接合部と第四接合部との間に第一気体室体を形成し、
前記第四接合部と第五接合部との間に第二気体室体を形成し、
前記第五接合部と第六接合部との間に第三気体室体を形成してあって、
前記一対の可撓性シートにおける長手方向の一辺の外周縁部は、前記第四接合部において前記一対の可撓性シート共に前記被覆本体の内側部へ接合されて、前記第四接合部と前記第六接合部との間に緊張体を形成させる。
【０００７】
請求項３記載の物品の緩衝体は、第一気体室体、第二気体室体、および第三気体室体は、それぞれ通路により連通させる。
【０００８】
請求項４記載の物品の緩衝体は、第一気体室体、第二気体室体、および第三気体室体は、それぞれ通路により連通させてあって、これら第一気体室体、第二気体室体、および第三気体室体の少なくともその一箇所に設けた気体の給排部材により気体が一連に封入されるものであり、
前記第一気体室体、第二気体室体、および第三気体室体に気体が封入されたとき、該第三気体室体の膨満に伴って、緊張体がこの第三気体室体を被覆本体の内側部へ引き込んでその位置を保持させる。
【０００９】
【実施例】
次に、本発明に関する物品の緩衝体の一実施例を図面に基づいて説明する。
図１および図３〜図１０においてＡは物品の緩衝体で、直方体や立方体からなる物品ｂの隅角部を被覆して外力等からの該物品ｂの緩衝を行うものであって、被覆本体１と、第一気体室体２、第二気体室体３、および第三気体室体４と、緊張体５とにより基本的に構成される。
【００１０】
前記した被覆本体１は、合成樹脂製等による一体物の可撓性シートにより形成された四辺の枠部材６，７，８，９からなるもので、該枠部材６，７，８，９の長さ方向に対して直交する方向において所定の幅寸法を有するものであり、かつ、物品ｂの隅角部へ容易に離脱しない摩擦抵抗をもって嵌り得る空洞の内形状を有する方形の枠状に形成されている。
【００１１】
また、被覆本体１における四辺の枠部材６，７，８，９は、方形状の一対（表シート１０と裏シート１１の二枚からなる）の可撓性シート１０，１１により一体的に形成されているもので、更に、詳しくは、被覆本体１は、図２に示すように、一対の可撓性シート１０，１１を重ね合わせてその長手方向と平行するように二つ折りにしてある。
この二つ折りにあっては、同図に示すように、一対の可撓性シート１０，１１における長手方向の一辺の外周縁部１ｂと一対の可撓性シート１０，１１における長手方向の他辺の外周縁部１ａとを、該一辺の外周縁部１ｂが幅方向に下がった状態にずらして設けてある。
【００１２】
そして、この被覆本体１の形成にあって、図３に示すように、一対の可撓性シート１０，１１における長手方向の一辺の外周縁部１ｂを除いたその長手方向の他辺の外周縁部１ａと、この他辺の外周縁部１ａと直交する二辺の外周縁部を、ヒートシールや接着剤等により間断なく連続的に接合して、三辺の外周接合部１２ａ，１２ｂ，１３ｃを形成してある。
【００１３】
更に、一対の可撓性シート１０，１１の長手方向を横断する方向において、該一対の可撓性シート１０，１１を二つ折りされた状態で該一対の可撓性シート１０，１１の一部を直線状にヒートシールや接着剤等により接合して、第一接合部１４、第二接合部１５、および第三接合部１６を形成してある。
なお、一対の可撓性シート１０，１１において、一部の第一接合部１４、第二接合部１５、および第三接合部１６が設けられない部分は、四辺の枠部材６，７，８，９における後記する第一気体室体２、第二気体室体３、および第三気体室体４へそれぞれ気体が挿通する該気体の通路２１となる。
【００１４】
この第一接合部１４と一対の可撓性シート１０，１１の長手方向と直交する一側外周接合部１２ｂとの間隔と、第二接合部１５と第三接合部１６との間隔は略同一に設けられることで、被覆本体１において対向する二辺の枠部材６，８を構成する。
また、第一接合部１４と第二接合部１４との間隔は、第三接合部１６と一対の可撓性シート１０，１１の長手方向と直交する他側外周接合部１２ｃとの間隔は略同一に設けられることで、被覆本体１において対向する二辺の枠部材７，９を構成する。
【００１５】
そして、一対の可撓性シート１０，１１の長手方向と直交する一側外周接合部１２ｂと一対の可撓性シート１０，１１の長手方向と直交する他側外周接合部１２ｃとは接合されて、図４に示すように、連結接合部１２ｄを形成することで、方形の枠状の被覆本体１となるもので、これら第一接合部１４、第二接合部１５、および第三接合部１６と連結接合部１２ｄとは、それぞれ内折れ状態に略９０゜折り曲げられる内折れ部となる。
【００１６】
前記した第一気体室体２、第二気体室体３、および第三気体室体４は、被覆本体１における四辺の枠部材６，７，８，９の幅方向に対して略平行するようにそれぞれ並べて連接してあって、内部に空気等の気体を封入してある。
この第一気体室体２、第二気体室体３の形成にあっては、図３に示すように、一対の可撓性シート１０，１１の長手方向と略平行するように、該一対の可撓性シート１０，１１の一部を直線的にヒートシールや接着剤等により接合して、第四接合部１７，第五接合部１８を設けることにより該第一気体室体２，第二気体室体３が形成され、この一部の第四接合部１７，第五接合部１８が設けられない部分は、第一気体室体２、第二気体室体３、および第三気体室体４が一連の挿通状態となる気体の通路２２となる。
また、第三気体室体４の形成にあっては、一対の可撓性シート１０，１１の長手方向と略平行するように、該一対の可撓性シート１０，１１を連続した直線的にヒートシールや接着剤等により接合して、第六接合部１９を設けることで第五接合部１８との間に第三気体室体４が形成される。
【００１７】
これにより、あらかじめ形成された三辺の外周接合部１２ａ，１２ｂ，１３ｃと共に、一対の可撓性シート１０，１１の長手方向における一辺の外周接合部１２ａと第四接合部１７との間に第一気体室体２が形成され、第四接合部１７と第五接合部１８との間に第二気体室体３が形成され、第五接合部１８と第六接合部１９との間に第三気体室体４が形成される。
また、これら第一気体室体２、第二気体室体３、および第三気体室体４の少なくともその一箇所（図３においては第一気体室体２）に逆止弁付きの気体の給排部材２０が設けてあって、これにより、これら第一気体室体２、第二気体室体３および第三気体室体４に設けた通路２２と、四辺の枠部材６，７，８，９の通路２１とにより、一箇所の給排部材２０によって被覆本体１内の第一気体室体２、第二気体室体３、および第三気体室体４へ気体を送り込むことができる。
【００１８】
なお、被覆本体１にあって、第一気体室体２は、例えば、図５に示すように、物品ｂの隅角部ｂ１における四周側面ｂ１１を被覆させ、第二気体室体３は、物品ｂの隅角部ｂ１における四頂部付近ｂ１２を被覆させ、第三気体室体４は、第一気体室体２の内側面より少なくともその一部が被覆本体１において内方に位置し、物品ｂの隅角部ｂ１における四周側面ｂ１１より連なって該四周側面ｂ１１と略直交（略直角）する物品ｂの端側面ｂ１３を被覆させる。
【００１９】
前記した緊張体５は、被覆本体１の幅方向において、第一気体室体２から第三気体室体３に至るまでの間における該被覆本体１の内側部に接続してあるもので、すなわち、該緊張体５にあって、その一側である二つ折りされた一方の一対の可撓性シート１０，１１における長手方向の一辺の外周縁部１ｂは、第四接合部１７において二つ折りされた他方の一対の可撓性シート１０，１１と共に、被覆本体１の内側部へヒートシールや接着剤等により接合されて、第四接合部１７と第六接合部１９との間に、各枠部材６，７，８，９の長さ方向の全体に対してこの緊張体５を形成させる。
該緊張体５は、図６（ａ）に示す状態から、第一気体室体２、第二気体室体３および第三気体室体４に給排部材２０により気体が封入されたとき、図６（ｂ）に示すように、この気体の封入圧による該第一気体室体２、第二気体室体３、および第三気体室体４の膨満に伴って、特には第三気体室体４の膨満に伴って、緊張体５がこの第三気体室体４を被覆本体１の内側部へ引き込んで該緊張体５によって前記内側部の位置を保持させる。
【００２０】
したがって、前記のように構成される本発明の実施例の物品の緩衝体Ａは、以下に述べる作用を奏する。
あらかじめ、緩衝保護すべき物品ｂの隅角部ｂ１の外形状に合わせて緩衝材Ａを用意するもので、図４に示すように形成された気体が封入されていない緩衝材Ａへ、給排部材２０から空気等の気体を注入し、各第一気体室体２、第二気体室体３、および第三気体室体４へ通路２１，２２を介して十分な気体を万遍なく行き渡らせ、図１に示すように、各枠部材６，７，８，９のそれぞれ各第一、第二および第三気体室体２，３，４を膨満状態にしておく。
このとき、緊張体５の両端部が、第四接合部１７および第五接合部１８に連結されているため、すなわち、二つ折りされた一対の可撓性シート１０，１１の長手方向における一辺の外周端部を１ｂを第四接合部１７において共に接合してあるため、第二および第三気体室体３，４が膨満する、特に、図７（ａ）に示す状態から図７（ｂ）に示すように、第三気体室体４が膨満するのに伴って、この第三気体室体４がその長手方向全体が緊張体５によって被覆本体１の内方へ引っ張られるようになるので、該第三気体室体４が内方への張り出し部となる。
【００２１】
そして、例えば、図５，図６に示すように、縦長の長方体である物品ｂをその縦長方向に段ボール箱などの包装体（図示せず）へ収容して包装するときは、図９に示すように、物品ｂにおける縦長方向上下に位置する隅角部ｂ１，ｂ１へ、緩衝体Ａの内周部が対応するように被せる。
これにより、各四辺の枠部材６，７，８，９の第一気体室体２は、隅角部ｂ１，ｂ１に対して容易に離脱しない程度の摩擦接触をして、かつ、物品ｂの隅角部ｂ１における四周側面ｂ１１を被覆させ、第二気体室体３は、物品ｂの隅角部ｂ１における四頂部付近ｂ１２付近に位置して該四頂部付近ｂ１２を被覆させ、第三気体室体４は、第一気体室体２の内側面より少なくともその一部が被覆本体１において内方に位置し、物品ｂの隅角部ｂ１における四周側面ｂ１１より連なって該四周側面ｂ１１と略直交（略直角）する物品ｂの端側面ｂ１３付近に位置して該端側面ｂ１３を被覆させる。
【００２２】
したがって、物品ｂの隅角部ｂ１は、その四周側面ｂ１１と四頂部付近ｂ１２および端側面ｂ１３とがそれぞれ被覆本体１によって包持され、例え、物品ｂを収容している包装体に大きな外力が掛かっても、被覆本体１における第一気体室体２、第二気体室体３、および第三気体室体４がその内部に封入した気体によるエアークッション効果を発揮して、前記発生した外力をこの被覆本体１により吸収し、物品ｂに対する衝突あるいは物品ｂ自体の衝撃を和らげることができるので、この物品ｂの損傷を防止することができる。
【００２３】
また、第一気体室体２の内側面より少なくともその一部が被覆本体１において内方に位置するように構成される第三気体室体４によって、第一気体室体２、第二気体室体３および第三気体室体４により断面形状略Ｌ字状に形成されるものであり、更に、第一気体室体２から第三気体室体４に至るまでの間における被覆本体１の内側部に接続した緊張体５により、第三気体室体４が被覆本体１の内方に張り出した状態を保持することができる。
これにより、例え、第三気体室体４へ物品ｂの重量や衝撃が加わっても、該第三気体室体４の内端側は緊張体５により第一気体室体２側へ吊り上げられているので、外力を受けても、この部分の変形やめくれ上がり、物品ｂの抜け等が無くなるものである。
また、物品ｂの隅角部ｂ１へこの緩衝体Ａを取り付けたとき、物品ｂの隅角部ｂ１における四頂部付近ｂ１２あるいは端側面ｂ１３へは、緊張体５がまず当接して第二気体室体３や第三気体室体４が間接的に当接するため、この第二気体室体３と第三気体室体４との間の強度が向上し、外力を受けても、この部分の変形やめくれ上がり、物品ｂの抜け等が無くなって、一層、高い強度を発揮して確実に物品ｂの隅角部ｂ１を被覆することができる。
【００２４】
なお、この緩衝体Ａは、非使用時は、被覆本体１の適所の一箇所に設けた給排部材２０によって、各第一気体室体２、第二気体室体３、および第三気体室体４の気体を一度に抜くことができ、減容化されると共に、コンパクトとなって収納や持ち運び等に便利である。
【００２５】
【発明の効果】
本発明に係る請求項１，２および４は、物品の隅角部における端側部を覆う第三気体室体が緊張体によりその張り出し位置を保持されているため、物品や緩衝体に対して外力が掛かっても、変形したりめくれ上がってたりすることがなく、安定的に物品面に当接して被覆することができ、物品の確実な緩衝作用を行うことができる。
本発明に係る請求項３は、第一気体室体、第二気体室体、および第三気体室体は、それぞれ通路により連通させることにより、気体の充填や排出が一度に行える。
【図面の簡単な説明】
【図１】本発明に関する物品の緩衝体の一実施例を示す斜視図である。
【図２】図１における緩衝体の成形前の一対の可撓性シートを示すもので、（ａ）は、二つ折りした状態の正面図、（ｂ）は（ａ）の側面図である。
【図３】図２における一対の可撓性シートに接合部を設けた状態を示す正面図である。
【図４】図１における緩衝体の気体を封入する前の状態の斜視図である。
【図５】図１における緩衝体の使用状態を示す断面図である。
【図６】図１における緩衝体の使用状態を示す斜視図である。
【図７】図１における緩衝体の各気体室体の膨満状態を示す要部の断面図で、（ａ）は気体の供給前を、（ｂ）は気体の封入後を示す。
【図８】図１における緩衝体の気体を封入する前の状態の簡略化して示す断面図で、（ａ）は図３におけるＸ−Ｘ線部を、（ｂ）は図３におけるＹ−Ｙ線部を、（ｃ）は図３におけるＺ−Ｚ線部をそれぞれ示す。
【図９】図１における緩衝体への物品の嵌め込み状態を示す要部の断面図である。
【図１０】図１における緩衝体の物品への他の使用状態を示す断面図である。
【図１１】従来の緩衝体の使用状態を示す説明図である。
【符号の説明】
Ａ…緩衝体．ｂ…物品．ｂ１…隅角部．ｂ１１…四周側面．ｂ１２…四頂部．ｂ１３…端側面．１…被覆本体．１ａ…他辺の外周縁部．１ｂ…一辺の外周縁部．２…第一気体室体．３…第二気体室体．４…第三気体室体．５…緊張体．６，７，８，９…枠部材．１０，１１…可撓性シート．１２ｂ，１２ｃ…外周接合部．１４，１５，１６，１７，１８，１９…第一、第二、第三、第四、第五および第六接合部．
【図１】
2004136912.tif 000003
【図２】
2004136912.tif 000004
【図３】
2004136912.tif 000005
【図４】
2004136912.tif 000006
【図５】
2004136912.tif 000007
【図６】
2004136912.tif 000008
【図７】
2004136912.tif 000009
【図８】
2004136912.tif 000010
【図９】
2004136912.tif 000011
【図１０】
2004136912.tif 000012
【図１１】
2004136912.tif 000013